(57)【要約】光ピックアップ装置への組み付けを精度よく行うことができ、かつ光ピックアップ装置の使用時に光ディスク側からの不要光の発生を防ぐことができる光学素子光ピックアップ装置用の対物レンズである。光源側端面２０ｂがレンズＰＬの光軸ＯＡに垂直な面に対して傾斜することにより、レンズＰＬの姿勢決めの基準となる光ディスク側端面２０ｅからの反射光ＲＬ１のみを検出することができる。これにより、レンズＰＬの姿勢を精度よく検出することができ、レンズＰＬを光ピックアップ装置１００に高精度かつ容易に組み付けることができる。また、光ピックアップ装置１００の使用時において、レーザー光束ＬＬ１が光源側端面２０ｂに入射しても、その反射光ＲＬ３が光検出器８６側に戻らず、迷光の発生を防ぐことができる。これにより、光検出器８６でノイズが増加するのを防ぐことができる。
2012043310.tif 000002
【特許請求の範囲】
【請求項１】
光源側に設けられる光源側光学面と、
前記光源側光学面に対向して光ディスク側に設けられる光ディスク側光学面と、
前記光源側光学面の外周に隣接して配置され光軸に垂直な面に対して傾斜している光源側端面と、
前記光ディスク側光学面の外周に隣接して配置され光軸に垂直に形成された光ディスク側端面と、
を備えることを特徴とする光ピックアップ装置用の対物レンズ。
【請求項２】
前記光源側端面は、環状であり、光軸のまわりに対称に形成されていることを特徴とする請求項１に記載の光ピックアップ装置用の対物レンズ。
【請求項３】
前記光源側光学面の外径は、対物レンズの有効径と略同一の大きさであることを特徴とする請求項１に記載の光ピックアップ装置用の対物レンズ。
【請求項４】
前記光源側光学面と前記光ディスク側光学面とを有する本体部の外側に配置されるフランジ部を有し、
前記フランジ部は、接続部分として前記本体部に隣接して配置される肉薄部と、前記肉薄部を介して前記本体部を支持する肉厚部とを有し、
前記肉薄部は、前記光源側端面と前記光ディスク側端面とを有することを特徴とする請求項１に記載の光ピックアップ装置用の対物レンズ。
【請求項５】
前記光源側光学面と前記光ディスク側光学面とを有する本体部と、
前記本体部を周囲から支持するためのフランジ部と、
を備え、
前記フランジ部は、前記本体部との接続部分を構成する要素として前記光源側端面と前記光ディスク側端面とを有し、
前記接続部分は、肉薄になってくびれていることを特徴とする請求項１に記載の光ピックアップ装置用の対物レンズ。
【請求項６】
デジタルデータの読取及びライトスクライブに対応することを特徴とする請求項１に記載の光ピックアップ装置用の対物レンズ。
【請求項７】
前記光源側端面は、前記一対の光学面の光軸に垂直な面に対して０．０５°以上７５°以下で傾斜している平坦面であることを特徴とする請求項１に記載の光ピックアップ装置用の対物レンズ。
【請求項８】
前記光源側端面は、前記一対の光学面の光軸に垂直な面に対して１°以上４０°以下で傾斜している平坦面であることを特徴とする請求項１に記載の光ピックアップ装置用の対物レンズ。
【請求項９】
前記光源側端面は、前記一対の光学面の光軸に垂直な面に対して５°以上２０°以下で傾斜している平坦面であることを特徴とする請求項１に記載の光ピックアップ装置用の対物レンズ。
【請求項１０】
前記接続部分は、光源側に前記光源側端面を含む複数の面を有することを特徴とする請求項４に記載の光ピックアップ装置用の対物レンズ。
【請求項１１】
前記接続部分は、光源側に前記光源側端面のみを有することを特徴とする請求項４に記載の光ピックアップ装置用の対物レンズ。
【請求項１２】
前記光源側端面の面粗さは、１０ｎｍ以下であることを特徴とする請求項１に記載の光ピックアップ装置用の対物レンズ。
【請求項１３】
前記光源側端面は、前記光源側光学面の外径方向で光源側に近づくように傾斜することを特徴する請求項１に記載の光ピックアップ装置用の対物レンズ。
【請求項１４】
光源側に設けられる光源側光学面と、前記光源側光学面に対向して光ディスク側に設けられる光ディスク側光学面とを有する本体部と、
前記光源側光学面の外周に隣接して配置され光軸に垂直な面に対して傾斜している光源側端面と、前記光ディスク側光学面の外周に隣接して配置され光軸に垂直に形成された光ディスク側端面とを有するフランジ部と、
を備えることを特徴とする光ピックアップ装置用の対物レンズ。
【請求項１５】
請求項１及び請求項１４のいずれか一項に記載の光ピックアップ装置用の対物レンズを備えることを特徴とする光ピックアップ装置。
【請求項１６】
光源側に絞りをさらに備え、
前記絞りの内径は、前記光ピックアップ装置用の対物レンズの一対の光学面のうち前記光源側光学面の外径よりも大きいことを特徴とする請求項１５に記載の光ピックアップ装置。
【発明の詳細な説明】
【技術分野】
【０００１】
本発明は、情報の記録及び／又は再生等を行うための光ピックアップ装置用の対物レンズ並びに当該対物レンズを組み付けた光ピックアップ装置に関する。
【背景技術】
【０００２】
光ピックアップ装置用の対物レンズとして、一対の光学面と一対のフランジ面とを有し、同じ側の光学面とフランジ面とをそれぞれ接続する一対の端面を有するものがある（例えば、特許文献１参照）。これらの端面は、光軸に対してともに垂直となるように形成されている。【０００３】
ここで、対物レンズを光ピックアップ装置に組み付ける際に、対物レンズの姿勢決めを精度よく行わないとコマ収差等が発生し、光ピックアップ装置の性能が悪化する。そのため、多くの場合、対物レンズの姿勢決めの基準となる光ディスク側の環状の端面（光ディスク側端面）に光ディスク側から検査光を照射し、光ディスク側端面の鏡面で反射した反射光を検出することで、対物レンズの姿勢を調整している。しかしながら、特許文献１のような対物レンズでは、光ディスク側端面だけでなく光源側端面も光学面の光軸に垂直な平滑面であり、さらに対物レンズが透明な材料で形成されている。よって、例えば光ディスク側から検査光を照射すると、光ディスク側端面からの反射光のほか、光ディスク側端面を透過した光源側端面からの反射光も同時に検出することとなり、対物レンズの姿勢調整が困難になるという問題がある。【０００４】
また、特許文献１のような対物レンズでは、上述のように光源側端面が光軸に垂直な平滑面であるから、レーザー光源から対物レンズに入射した光が対物レンズの光源側端面で不要光（フレアー光）として反射され、検出器でノイズが生じるという問題がある。
【先行技術文献】
【特許文献】
【０００５】
【特許文献１】特開平１０−２０８２７３号公報
【発明の概要】
【０００６】
本発明は、上記背景技術に鑑みてなされたものであり、光ピックアップ装置への組み付けを精度よく行うことができ、かつ光ピックアップ装置の使用時に光ディスク側からの不要光の発生を防ぐことができる光ピックアップ装置用の対物レンズを提供することを目的とする。
【０００７】
また、本願発明は、上記光ピックアップ装置用の対物レンズを組み付けた光ピックアップ装置を提供することを目的とする。
【０００８】
上記目的を達成するため、本発明に係る光ピックアップ装置用の対物レンズは、光源側に設けられる光源側光学面と、光源側光学面に対向して光ディスク側に設けられる光ディスク側光学面と、光源側光学面の外周に隣接して配置され光軸に垂直な面に対して傾斜している光源側端面と、光ディスク側光学面の外周に隣接して配置され光軸に垂直に形成された光ディスク側端面と、を備えることを特徴とする。ここで、光源側端面と光軸を含む面との交線は、直線に限らず湾曲線を含むようなものとすることができ、光源側端面の略全体が光軸に垂直な面に対して傾斜していればよい。
【０００９】
上記光ピックアップ装置用の対物レンズによれば、光源側端面が光学面の光軸に垂直な面に対して傾斜することにより、対物レンズを光ピックアップ装置又はその一部に組み付ける際に、光ディスク側から検査光を照射しても、光源側端面の反射光は検査用の検出器側に反射されない。そのため、対物レンズの姿勢決めの基準となる光ディスク側の端面（光ディスク側端面）からの反射光のみを検出することができる。これにより、対物レンズの姿勢を精度よく検出することができ、対物レンズを光ピックアップ装置等に高精度かつ容易に組み付けることができる。特に、例えばＢＤ（Blu-ray Disc）用の対物レンズは、ＣＤ用やＤＶＤ用の対物レンズと比較してコマ収差の許容範囲が狭いため、より高い精度で対物レンズを光ピックアップ装置等に組み付けることが要求される。本発明では、対物レンズの姿勢を精度よく検出することができ、対物レンズを光ピックアップ装置等に高精度かつ容易に組み付けることができるので、ＢＤ用の対物レンズであってもコマ収差を許容範囲内に抑えることができる。また、光ピックアップ装置の使用時において、レーザー光が光源側端面に入射しても、その反射光が情報の記録及び／又は再生等用の検出器側に戻らず、迷光の発生を防ぐことができる。これにより、記録及び／又は再生等用の検出器でノイズが増加するのを防ぐことができる。
【００１０】
本発明の具体的な態様又は側面では、上記光ピックアップ装置用の対物レンズにおいて、光源側端面は、環状であり、光軸のまわりに対称に形成されている。この場合、光源側端面を光軸に関して一様なものとすることができる。
【００１１】
本発明の別の側面では、光源側光学面の外径は、対物レンズの有効径と略同一の大きさである。ここで、対物レンズの有効径は、光源光束が対物レンズに平行光で入射する場合に、対物レンズの開口数と対物レンズの焦点距離とによって決定されるものとする。この場合、光源側端面に光源光束が入射する可能性が高いが、光源側端面が光学面の光軸に垂直な面に対して傾斜することにより、上述したように、光ピックアップ装置の使用時に光源側端面で反射した光が迷光とならない。そのため、光源光の入射位置のずれによるノイズの増加を抑制しつつ光源側光学面の外径と略同一の大きさにまで有効径を広げることができ、有効径を比較的大きくすることができる。
【００１２】
本発明のさらに別の側面では、光源側光学面と光ディスク側光学面とを有する本体部の外側に配置されるフランジ部を有し、フランジ部は、接続部分として本体部に隣接して配置される肉薄部と、肉薄部を介して本体部を支持する肉厚部とを有し、肉薄部は、光源側端面と光ディスク側端面とを有する。この場合、本体部とフランジ部との接続部分を傾斜の一方側で比較的厚くすることができ、射出成形時の樹脂の流動性を向上させることができる。これにより、対物レンズの成形を容易にすることができる。
【００１３】
本発明のさらに別の側面では、光源側光学面と光ディスク側光学面とを有する本体部と、本体部を周囲から支持するためのフランジ部と、を備え、フランジ部は、本体部との接続部分を構成する要素として光源側端面と光ディスク側端面とを有し、接続部分は、肉薄になってくびれている。
【００１４】
本発明のさらに別の側面では、光ピックアップ装置用の対物レンズは、デジタルデータの読取及びライトスクライブに対応する。この場合、光源側端面が光学面の光軸に垂直な面に対して傾斜することにより、ノイズの増加を抑制しつつ有効径を比較的大きくすることができるため、再生や記録に関する有効径よりも光束径を大きくすることで、光源側光学面の外側に光束を入射させる可能が高いライトスクライブについても適確に行うことができる。
【００１５】
本発明のさらに別の側面では、光源側端面は、一対の光学面の光軸に垂直な面に対して０．０５°以上７５°以下で傾斜している平坦面である。この場合、光源側端面の傾斜角を０．０５以上とすることで、光源側端面での反射光を検出器外に反らすことが容易になる。一方、光源側端面の傾斜角を７５°以下とすることで、成形時に対物レンズが金型から離型しにくくなることを防止できる。
【００１６】
本発明のさらに別の側面では、光源側端面は、一対の光学面の光軸に垂直な面に対して１°以上４０°以下で傾斜している平坦面である。この場合、成形時に対物レンズを金型から離型しやすくすることができるとともに、光源側端面での反射光を検出器外に確実に反らすことができる。
【００１７】
本発明のさらに別の側面では、光源側端面は、一対の光学面の光軸に垂直な面に対して５°以上２０°以下で傾斜している平坦面である。この場合、光源側端面の傾斜角を５°以上とすることで、成形時に樹脂収縮が生じても、成形された対物レンズにおいて、光源側端面が光軸に対して傾斜した状態を確保することができる。これは樹脂収縮による傾斜角の減少は２〜３°程度であるので、傾斜角を５°以上とすれば樹脂収縮したとしても光源側端面が光軸に対して傾斜した状態を確保することができるのである。一方、光源側端面の傾斜角を２０°以下とすることで、成形時に対物レンズが金型からより離型しやすくなる。
【００１８】
本発明のさらに別の側面では、接続部分は、光源側に光源側端面を含む複数の面を有する。この場合、光源側端面の一部にバリが生じても、光源側端面とフランジ面との境界で外部に突出するようなバリが生じにくい転写面とすることができるので、バリに対する２次加工を省略することができる。
【００１９】
本発明のさらに別の側面では、接続部分は、光源側に光源側端面のみを有する。この場合、成形金型をより単純な形状とすることができるとともに、樹脂の流動性を向上させることができ、対物レンズを成形しやすくすることができる。
【００２０】
本発明のさらに別の側面では、光源側端面の面粗さは、１０ｎｍ以下である。この場合、成形金型において、光源側端面の転写面が平滑な面となり、成形金型の加工を容易にすることができる。
【００２１】
本発明のさらに別の側面では、光源側端面は、光源側光学面の外径方向で光源側に近づくように傾斜する。この場合、対物レンズの断面視において、一対の端面に挟まれた部分が外側で厚くなるため、成形時に樹脂の流動性をよくすることができる。これにより、フランジ部の薄い例えばＢＤ用の対物レンズであっても、より精度よく成形することができる。
【００２２】
上記課題を解決するため、本発明に係る光ピックアップ装置用の対物レンズは、光源側に設けられる光源側光学面と、光源側光学面に対向して光ディスク側に設けられる光ディスク側光学面とを有する本体部と、光源側光学面の外周に隣接して配置され光軸に垂直な面に対して傾斜している光源側端面と、光ディスク側光学面の外周に隣接して配置され光軸に垂直に形成された光ディスク側端面とを有するフランジ部と、を備えることを特徴とする。
【００２３】
本発明に係る光ピックアップ装置は、上述の光ピックアップ装置用の対物レンズを備える。
【００２４】
上記光学素子の光ピックアップ装置によれば、対物レンズの光源側端面が光学面の光軸に垂直な面に対して傾斜することにより、対物レンズの組み付けに際して光ディスク側から検査光を照射しても、光源側端面の反射光は検査用の検出器側に向かわないので、対物レンズの姿勢を精度よく調整することができ、高精度の光ピックアップ装置を提供できる。また、光ピックアップ装置の使用時において、レーザー光が光源側端面に入射しても情報の記録及び／又は再生等用の検出器側に反射されず、迷光の発生を防ぐことができる。これにより、記録及び／又は再生等用の検出器でノイズが発生するのを防ぐことができる。
【００２５】
また、本発明の具体的な態様又は側面では、上記光ピックアップ装置において、光源側に絞りをさらに備え、絞りの内径は、光ピックアップ装置用の対物レンズの一対の光学面のうち光源側光学面の外径よりも大きい。この場合、光ピックアップ装置において、絞りの内径が光源側光学面の外径よりも大きい場合でも、光ピックアップ装置の使用時に迷光が生じにくく、情報の記録及び／又は再生等用の検出器にノイズが発生するのを防ぐことができる。
【図面の簡単な説明】
【００２６】
【図１】第１実施形態に係る光ピックアップ装置用の対物レンズを説明する断面図である。
【図２】（Ａ）は、対物レンズを光ディスク側から見た図であり、（Ｂ）は、対物レンズを光源側から見た図である。
【図３】図１の対物レンズを組み付けた光ピックアップ装置を説明する概念図である。
【図４】図１の対物レンズを光ピックアップ装置に組み付ける際の作業について説明する図である。
【図５】第２実施形態に係る光ピックアップ装置用の対物レンズを説明する断面図である。
【図６】第３実施形態に係る光ピックアップ装置用の対物レンズを説明する断面図である。
【図７】（Ａ）、（Ｂ）は、第４実施形態に係る光ピックアップ装置用の対物レンズを説明する断面図である。
【図８】（Ａ）、（Ｂ）は、第４実施形態に係る光ピックアップ装置用の対物レンズの変形例を説明する断面図である。
【発明を実施するための形態】
【００２７】
〔第１実施形態〕
〔光ピックアップ装置用の対物レンズ〕
図１、図２（Ａ）及び２（Ｂ）を参照しつつ、本発明に係る第１実施形態の光ピックアップ装置用の対物レンズについて説明する。図示のレンズＰＬは、樹脂製の小型レンズであり、光ピックアップ装置用の対物レンズ、例えばＢＤ（Blu-ray Disc）専用レンズとして用いられる。また、レンズＰＬは、後述するように、有効径や光束径を比較的大きく確保することができるため、ライトスクライブにも対応することができる。
【００２８】
レンズＰＬは、光学的機能を有する本体部１０と、本体部１０から外径方向に延在する環状のフランジ部２０とを有する。
【００２９】
レンズＰＬのうち、本体部１０は、凸の光源側光学面１０ａと、凸の光ディスク側光学面１０ｂとを有する。すなわち、本体部１０は、中心側で肉厚となっている。図１に示すように、光源側光学面１０ａの曲率半径の絶対値は、光ディスク側光学面１０ｂの曲率半径の絶対値よりも小さいものとなっている。光源側光学面１０ａと光ディスク側光学面１０ｂとは、その表面が全体として滑らかであり、光透過性を有する本体（レンズＰＬの中心）を挟んで対向する。光源側光学面１０ａは、後述する光ピックアップ装置１００（図３参照）への装着の際に、レーザー光源である半導体レーザー８３側に面し、光ディスク側光学面１０ｂは、情報記録媒体である光ディスクＤＢ側に面する。レンズＰＬの有効径Ｄ１は、マージンをとって光源側光学面１０ａの外径、すなわち光源側の本体部１０とフランジ部２０との境界よりも多少小さくなっている。レンズＰＬは、光源側光学面１０ａの有効径Ｄ１内すなわち有効領域Ａ１内で基本的に活用され、例えば開口数（ＮＡ）０．８５でＢＤの波長（４０５ｎｍ）を屈折等させることにより集光させ、ＢＤの光ディスク上に最適なスポットを形成する。
【００３０】
フランジ部２０は、レンズＰＬを周囲から支持するためのものであり、環状の支持体部２１と、支持体部２１の内周側に設けられて支持体部２１と本体部１０とを連結する接続部２２とを備える。フランジ部２０は、その表面として、光源側光学面１０ａ側に光源側フランジ面２０ａと、光源側端面２０ｂと、光源側遷移面２０ｃとを有し、光ディスク側光学面１０ｂ側に光ディスク側フランジ面２０ｄと、光ディスク側端面２０ｅと、光ディスク側遷移面２０ｆとを有する。光源側端面２０ｂ及び光源側遷移面２０ｃは、光源側光学面１０ａと光源側フランジ面２０ａとの接続面であり、光ディスク側端面２０ｅ及び光ディスク側遷移面２０ｆは、光ディスク側光学面１０ｂと光ディスク側フランジ面２０ｄとの接続面となっている。つまり、各光学面１０ａ，１０ｂと各フランジ面２０ａ，２０ｄとの接続部分、すなわち接続部２２は、光源側と光ディスクＤＢ側とにおいて２つの面でそれぞれ形成されている。図１に示すように、本体部１０と支持体部２１との間に設けられた接続部２２は、全体としてくびれた状態となっており、レンズＰＬの外径方向に向かうにつれ光源側に近づくように肉厚となっている。
【００３１】
フランジ部２０のうち光源側及び光ディスク側フランジ面２０ａ，２０ｄは、それぞれ光軸ＯＡに垂直に延びる環状面又は輪帯状面である。このうち光源側フランジ面２０ａは、レンズＰＬの組み付け等に際して後述する図３の光ピックアップ装置１００のホルダ部材５０等に当接してレンズＰＬ全体を支持する。
【００３２】
フランジ部２０に設けた一対の端面２０ｂ，２０ｅのうち一方の光源側端面２０ｂは、光軸ＯＡに垂直な面に対して一様に傾斜する環状面である。この光源側端面２０ｂは、光源側光学面１０ａの光軸ＯＡに垂直な面Ｓに対してレンズＰＬの外径方向で光源側に近づくように傾斜している平坦面であり、円錐面となっている。光源側端面２０ｂの傾斜角は、上記面Ｓを基準として０．０５°以上７５°以下となっている。この傾斜角は、好ましくは１°以上４０°以下であり、さらに好ましくは５°以上２０°以下である。他方の光ディスク側端面２０ｅは、光軸ＯＡに垂直に延びる環状平面である。この光ディスク側端面２０ｅは、レンズＰＬの光ピックアップ装置１００への組み付け等に際して基準面となる。光源側及び光ディスク側端面２０ｂ，２０ｅの面粗さはいずれも１０ｎｍ以下であり、散乱等をほとんど生じさせない略平滑な鏡面となっている。
【００３３】
光源側及び光ディスク側遷移面２０ｃ，２０ｆは、光軸ＯＡに垂直な面に対して傾斜する環状面である。光ディスク側遷移面２０ｃ，２０ｆの傾斜は、光源側端面２０ｂの傾斜よりも大きくなっている。光源側遷移面２０ｃは、光源側端面２０ｂと光源側フランジ面２０ａとの段差を調整しており、光ディスク側遷移面２０ｆは、光ディスク側端面２０ｅと光ディスク側フランジ面２０ｄとの段差を調整している。
【００３４】
〔光ピックアップ装置〕
以下、図３を参照しつつ光ピックアップ装置１００の構成について説明する。
【００３５】
光ピックアップ装置１００は、既に説明した対物レンズとしてのレンズＰＬと、ホルダ部材５０と、絞り６０と、２次元アクチュエーター７０と、１／４波長板８１と、偏光ビームスプリッタ８２と、半導体レーザー８３と、コリメータ８４と、シリンドリカルレンズ８５と、光検出器８６とを有する。
【００３６】
光ピックアップ装置１００のうちホルダ部材５０は、レンズＰＬを保持するためのものであり、レンズＰＬを支持するようにレンズＰＬに対して光源側、すなわち半導体レーザー８３側に設けられている。ホルダ部材５０には、レンズＰＬを嵌め込むための開口部５１が設けられている。開口部５１は、段差状であり、レンズＰＬの光軸ＯＡに垂直な開口端面５１ａと、光軸ＯＡに平行な内側面５１ｂとを有する。開口部５１の光源側の内径は、レンズＰＬの光源側光学面１０ａの外径と略同一或いはわずかに大きくなっている。ホルダ部材５０において、レンズＰＬが開口部５１に嵌合し、フランジ部２０の光源側フランジ面２０ａと、開口部５１の開口端面５１ａとが当接することで、ホルダ部材５０とレンズＰＬとの光軸ＯＡ方向及びこれに垂直な方向のアライメントが達成される。なお、レンズＰＬは、接着剤によってホルダ部材５０に確実に固定されている。
【００３７】
絞り６０は、半導体レーザー８３から射出されたレーザー光束ＬＬ１の大きさを調整するためのものであり、ホルダ部材５０の光源側、すなわち半導体レーザー８３側に配置されている。絞り６０は、環状の遮光部材で形成されている。絞り６０の内径Ｄ３は、情報の記録及び／又は再生時において、レンズＰＬの有効径Ｄ１と略同一或いはわずかに大きくなっている。
【００３８】
２次元アクチュエーター７０は、レンズＰＬをホルダ部材５０を介して光軸ＡＸに平行なフォーカシング方向、及び光軸ＡＸに垂直なトラッキング方向に移動させるものであり、ホルダ部材５０を支持するようにホルダ部材５０の周囲に設けられている。
【００３９】
半導体レーザー８３は、記録及び／又は再生等を行う光ディスクＤＢに応じた所定波長のレーザー光束ＬＬ１を射出する。半導体レーザー８３とレンズＰＬとの間には、コリメータ８４と、偏光ビームスプリッタ８２と、１／４波長板８１とが順に配置されており、半導体レーザー８３から射出されたレーザー光束ＬＬ１は、レンズＰＬに導かれる。
【００４０】
光検出器８６は、シリンドリカルレンズ８５によって収束した光ディスクＤＢの情報記録面ＭＢからの反射光束ＬＬ２を受光する。レンズＰＬと光検出器８６との間には、１／４波長板８１と、偏光ビームスプリッタ８２と、シリンドリカルレンズ８５が順に配置されており、情報記録面ＭＢで反射された反射光束ＬＬ２は、レンズＰＬを経て光検出器８６に導かれる。
【００４１】
以下、図４を参照しつつレンズＰＬの光ピックアップ装置１００への組み付けについて説明する。この組み付けの際に、不図示のレンズ検査装置を用いて、光ピックアップ装置１００のホルダ部材５０に対するレンズＰＬの傾きを調整し、姿勢決めを行い、レンズＰＬをホルダ部材５０に取り付ける。
【００４２】
ホルダ部材５０にレンズＰＬを取り付ける際、図４に示すように、不図示のレンズ検査装置のオートコリメータ９０をレンズＰＬの光ディスク側端面２０ｅに対向する位置に移動させる。
【００４３】
次に、オートコリメータ９０により、ホルダ部材５０の光軸ＡＸ（換言すると、光ピックアップ装置１００の光軸ＡＸ）に平行になるように検査光ＥＬをレンズＰＬの光ディスク側端面２０ｅ上に射出させる。
【００４４】
光軸ＡＸと光軸ＯＡとが平行でない場合、検査光ＥＬがオートコリメータ９０側にほとんど反射されず、所望の反射光が得られない。
【００４５】
光軸ＡＸと光軸ＯＡとが略平行である場合、光ディスク側端面２０ｅに入射した検査光ＥＬの一部は、光ディスク側端面２０ｅで反射し、その反射光ＲＬ１は、光軸ＡＸに略平行な方向に進み、オートコリメータ９０で検出される。一方、残りの検査光ＥＬは、光ディスク側端面２０ｅを透過し、光源側端面２０ｂで反射されるが、その反射光ＲＬ２は、光軸ＡＸから傾斜した方向に進み、オートコリメータ９０でほとんど検出されない。これにより、光ディスク側端面２０ｅからの反射光ＲＬ１のみを検出して精度よくレンズＰＬの傾きを調整し、姿勢決めを行い、レンズＰＬをホルダ部材５０に精度良く取り付けている。
【００４６】
次に、レンズＰＬを取り付けたホルダ部材５０を図３に示す光ピックアップ装置１００に組み込む。この際、レンズＰＬの光源側光学面１０ａは半導体レーザー８３側に配置され、光ディスク側光学面１０ｂは、光ディスクＤＢ側に配置される。なお、レンズＰＬを光ピックアップ装置１００に組み付ける際にも、光ディスク側端面２０ｅを利用して、レンズＰＬの傾斜を防止することができる。
【００４７】
以下、光ピックアップ装置１００の動作について説明する。
【００４８】
光ピックアップ装置１００において、半導体レーザー８３からのレーザー光束ＬＬ１は、レンズＰＬを利用して光情報記録媒体である光ディスクＤＢに照射され、光ディスクＤＢからの反射光束ＬＬ２は、レンズＰＬを介し、最終的に光検出器８６に導かれる。ここで、半導体レーザー８３は、光ディスクＤＢの情報再生用のレーザー光束ＬＬ１（例えば波長４０５ｎｍ）を発生し、このレーザー光束ＬＬ１はレンズＰＬで集光され、ＮＡ０．８５相当のスポットが情報記録面ＭＢ上に形成される。また、光検出器８６は、光ディスクＤＢに記録された情報を反射光束ＬＬ２に含まれる光信号（例えば波長４０５ｎｍ）として検出する。
【００４９】
まず、光ディスクＤＢを再生又は記録する場合、半導体レーザー８３から例えば波長４０５ｎｍのレーザー光束ＬＬ１が出射され、出射されたレーザー光束ＬＬ１は、コリメータ８４により平行光束となる。この光束（レーザー光束ＬＬ１）は、偏光ビームスプリッタ８２及び１／４波長板８１を透過した後、絞り６０によって絞られ、レンズＰＬにより光ディスクＤＢの情報記録面ＭＢに集光される。
【００５０】
情報記録面ＭＢで情報ビットにより変調されて反射された光束（反射光束ＬＬ２）は、再びレンズＰＬ等を透過して、偏光ビームスプリッタ８２に入射し、ここで反射されてシリンドリカルレンズ８５により非点収差が与えられ、光検出器８６の検出面上へ入射し、その出力信号を用いて、光ディスクＤＢに記録された情報の読み取り信号が得られる。この際、レンズＰＬの光源側端面２０ｂにもレーザー光束ＬＬ１が入射する場合があるが、光源側端面２０ｂで反射された反射光ＲＬ３は、光軸ＡＸ或いは光軸ＯＡに対して傾斜した方向に進み、光検出器８６側に進まない。
【００５１】
また、反射光束ＬＬ２について光検出器８６上でのスポットの形状変化、位置変化による光量変化を検出して、合焦（フォーカス）検出やトラック検出を行う。この検出に基づいて、レンズＰＬを保持するホルダ部材５０の外周に設けた２次元アクチュエーター７０が、半導体レーザー８３からの光束を光ディスクＤＢの情報記録面ＭＢ上に結像させるようにレンズＰＬを光軸ＯＡ方向に移動させるとともに、この半導体レーザー８３からの光束を所定のトラックに結像するようにレンズＰＬを光軸ＯＡに垂直な方向に移動させる。なお、２次元アクチュエーター７０は、ホルダ部材５０の外周を直接支持又は固定するものであっても、何らかの部材を介在させて支持又は固定するものであってもよい。
【００５２】
なお、光束のビーム径Ｄ２は、記録及び／又は再生時において、図３の実線に示すような有効径Ｄ１と略同一又は有効径Ｄ１以下となり、ライトスクライブ時において、図３の破線に示すような光源側光学面１０ａの外径と略同一又は光源側光学面１０ａの外径以上となる。また、ライトスクライブ時には、レーザー光束ＬＬ１のスポットは、光ディスクＤＢのラベル面に形成される。
【００５３】
以上説明した光ピックアップ装置用の対物レンズ及び光ピックアップ装置によれば、光源側端面２０ｂがレンズＰＬの光軸ＯＡに垂直な面に対して傾斜することにより、対物レンズであるレンズＰＬを光ピックアップ装置１００等に組み付ける際に、光ディスクＤＢ側から検査光ＥＬを照射しても、光源側端面２０ｂの反射光ＲＬ２は検査用検出器（例えば、図４のオートコリメータ９０）側に反射されない。そのため、レンズＰＬの姿勢決めの基準となる光ディスク側端面２０ｅからの反射光ＲＬ１のみを検出することができる。これにより、レンズＰＬの姿勢を精度よく検出することができ、レンズＰＬを光ピックアップ装置１００等に高精度かつ容易に組み付けることができる。特に、例えばＢＤ（Blu-ray Disc）用の対物レンズは、ＣＤ（Compact Disc）用やＤＶＤ（Digital Versatile Disc）用の対物レンズと比較してコマ収差の許容範囲が狭いため、より高い精度で対物レンズを光ピックアップ装置等に組み付けることが要求される。本実施形態では、対物レンズとしてのレンズＰＬの姿勢を精度よく検出することができ、対物レンズとしてのレンズＰＬを光ピックアップ装置１００等に高精度かつ容易に組み付けることができるので、ＢＤ用の対物レンズであってもコマ収差を許容範囲内に抑えることができる。また、光ピックアップ装置１００の使用時において、レーザー光束ＬＬ１が光源側端面２０ｂに入射しても、その反射光ＲＬ３が光検出器８６側に戻らず、迷光の発生を防ぐことができる。これにより、光検出器８６でノイズが増加するのを防ぐことができる。
【００５４】
また、接続部２２が光源側端面２０ｂと光源側遷移面２０ｃとで形成されていることにより、光源側端面２０ｂの一部にバリが生じても、支持体部２１と接続部２２との境界で外部に突出するようなバリが生じにくいため、バリに対する２次加工を省略することができる。
【００５５】
〔第２実施形態〕
以下、第２実施形態に係る光ピックアップ装置用の対物レンズについて説明する。なお、第２実施形態に係る光ピックアップ装置用の対物レンズは、第１実施形態の光ピックアップ装置用の対物レンズを変形したものであり、特に説明しない部分については、第１実施形態と同様であるものとする。
【００５６】
図５に示すように、対物レンズであるレンズＰＬのフランジ部２０において、光源側端面２０ｂは、光源側光学面１０ａの光軸ＯＡに垂直な面Ｓに対してレンズＰＬの外径方向で光ディスクＤＢ側に近づくように傾斜している。
【００５７】
〔第３実施形態〕
以下、第３実施形態に係る光ピックアップ装置用の対物レンズについて説明する。なお、第３実施形態に係る光ピックアップ装置用の対物レンズは、第１実施形態の光ピックアップ装置用の対物レンズを変形したものであり、特に説明しない部分については、第１実施形態と同様であるものとする。
【００５８】
図６に示すように、対物レンズであるレンズＰＬのフランジ部２０において、第１実施形態等のレンズＰＬのように光源側遷移面２０ｃ（図１参照）は設けられていない。すなわち、光源側光学面１０ａと光源側フランジ面２０ａとは光源側端面２０ｂのみで接続されている。これにより、フランジ部２０の接続部２２が断面視において比較的厚くなる。
【００５９】
〔第４実施形態〕
以下、第４実施形態に係る光ピックアップ装置用の対物レンズについて説明する。なお、第４実施形態に係る光ピックアップ装置用の対物レンズは、第１実施形態の光ピックアップ装置用の対物レンズを変形したものであり、特に説明しない部分については、第１実施形態と同様であるものとする。
【００６０】
図７（Ａ）及び７（Ｂ）に示すように、対物レンズであるレンズＰＬのフランジ部２０において、光源側端面２０ｂは、光源側光学面１０ａの光軸ＯＡに垂直な面Ｓに対してレンズＰＬの外径方向で光源側に近づくように傾斜して外側で肉厚タイプとなっている。光源側端面２０ｂは、第１実施形態と異なり、平坦ではなくわずかに湾曲している。図７（Ａ）の場合、光源側端面２０ｂは、半導体レーザー８３側に凹となっており、図７（Ｂ）の場合、光源側端面２０ｂは、半導体レーザー８３側に凸となっている。
【００６１】
なお、本実施形態において、光源側端面２０ｂは、図８（Ａ）及び８（Ｂ）に示すように、光源側光学面１０ａの光軸ＯＡに垂直な面Ｓに対してレンズＰＬの外径方向で光ディスクＤＢ側に近づくように傾斜して外側で肉薄タイプとなってもよい。
【００６２】
以上、本実施形態に係る成形金型について説明したが、本発明に係る成形金型は上記のものには限られない。例えば、レンズＰＬはＢＤ用の対物レンズとしたが、ＤＶＤ（Digital Versatile Disc）用、ＣＤ（Compact Disc）用、又はこれらの組み合わせとしてもよい。そのため、レンズＰＬの光学面形状等は適宜変更することができる。
【００６３】
また、上記実施形態において、フランジ部２０の接続部２２の光源側又は光ディスクＤＢ側は、１つ又は２つの面で形成されているが、３つ以上の面で形成されていてもよい。ただし、光束のビーム径Ｄ２内に光軸ＯＡに垂直な状態の面は含まないものとする。
【００６４】
また、上記実施形態において、レンズＰＬの有効径Ｄ１を光源側光学面１０ａの外径よりも若干小さくしたが、同一の大きさとしてもよい。この場合、レンズＰＬは、比較的大きな有効径Ｄ１を確保でき、ビーム径Ｄ２をさらに大きくすることができる。
【００６５】
また、上記実施形態において、フランジ部２０の接続部２２の厚みや光源側端面２０ｂ等の幅は適宜変更することができる。
【００６６】
また、上記実施形態において、レンズＰＬの光源側光学面１０ａが滑らかであるとしたが、光源側光学面１０ａは、鏡面に限らず、回折面その他の微細構造面とすることもできる。
【図１】
2012043310.tif 000003
【図２】
2012043310.tif 000004
【図３】
2012043310.tif 000005
【図４】
2012043310.tif 000006
【図５】
2012043310.tif 000007
【図６】
2012043310.tif 000008
【図７】
2012043310.tif 000009
【図８】
2012043310.tif 000010
【国際調査報告】
2012043310.tif 000011
2012043310.tif 000012
2012043310.tif 000013
2012043310.tif 000014